(57)【特許請求の範囲】
【請求項１】
個体を識別するための固有情報を記憶する個体識別媒体から当該固有情報を読み取る読取手段、該読取手段の読み取った当該固有情報をデジタル処理可能なデジタル固有情報に変換して取り込む入力手段、及び、該入力手段の取り込んだ該デジタル固有情報をデータベースとして保管する入力側データベース手段、を有する受付端末と、
予めデジタル固有情報がデータベースとして登録されているデータベース手段と、
前記受付端末と前記データベース手段を接続する通信手段と、
を備えたデータ処理システムであって、
（イ）前記受付端末が、前記変換したデジタル固有情報に、読み取った年月日時刻と、前記読取手段または当該入力手段を特定する入力側識別データと、を付加して前記入力側データベース手段に保管し、
（ロ）前記データベース手段が、前記受付端末と前記通信手段で接続されたときに、前記入力側データベース手段から前記通信手段を介して送信された前記デジタル固有情報と前記予め登録されているデジタル固有情報を比較し、そして、
（ハ）前記データベース手段が、前記予め登録されているデジタル固有情報と一致した前記デジタル固有情報のみを保管する
ことを特徴とするデータ処理システム。
【請求項２】
前記データ処理システムは、前記入力側識別データを対比表により前記受付端末が設置された会場名に変換することを特徴とする請求項１記載のデータ処理システム。
【請求項３】
前記データ処理システムは、前記受付端末が前記データベース手段とは離れた遠隔地に設置されて、前記通信手段で接続されることを特徴とする請求項１または請求項２記載のデータ処理システム。
【請求項４】
前記受付端末と前記データベース手段が前記通信手段で接続されているときに、前記データベース手段が前記入力側データベース手段のデジタル固有情報と前記データベース手段のデジタル固有情報を所定時間間隔で比較またはイベントトリガ等で変更を検出して、前記データベース手段のデジタル固有情報を前記入力側データベース手段のデジタル固有情報と同じにすることを特徴とする請求項３記載のデータ処理システム。
【請求項５】
前記受付端末と前記データベース手段が前記通信手段で接続されているときに、前記データベース手段が、前記データベース手段に所定の変更が加えられたことを検出すると、前記受付端末に前記デジタル固有情報を要求して、前記入力側データベース手段のデジタル固有情報に変更が行われている場合には、当該データベース手段のデジタル固有情報を前記入力側データベース手段のデジタル固有情報と同じにすることを特徴とする請求項３記載のデータ処理システム。
【請求項６】
前記データ処理システムは、前記受付端末と前記データベース手段との接続を無効にした状態で、前記読取手段に読取動作を実行させて、当該読取手段が読み取って前記入力手段の取り込んだデジタル固有情報を当該入力側データベース手段に格納し、前記入力側データベース手段と前記データベース手段の通信が可能となった時点で、当該入力側データベース手段のデジタル固有情報と前記データベース手段のデジタル固有情報を比較して、当該データベース手段のデジタル固有情報を当該入力側データベース手段のデジタル固有情報と同じにすることを特徴とする請求項４または請求項５記載のデータ処理システム。
【請求項７】
前記データ処理システムは、複数の前記受付端末を備え、当該受付端末の各入力側データベース手段が、当該各入力側データベース手段の格納しているデジタル固有情報を所定時間間隔で相互に比較して、格納するデジタル固有情報を同じにするとともに、当該各入力側データベース手段のデジタル固有情報と前記データベース手段のデジタル固有情報を所定時間間隔で比較して、当該データベース手段のデジタル固有情報を当該入力側データベース手段のデジタル固有情報と同じにすることを特徴とする請求項６記載のデータ処理システム。
【請求項８】
前記データ処理システムは、前記読取手段と前記入力手段がシリアル接続され、前記受付端末と前記データベース手段がイーサネットを介して接続されていることを特徴とする請求項３から請求項７のいずれかに記載のデータ処理システム。
【請求項９】
前記データ処理システムは、複数の前記受付端末が同じネットワークに接続され、前記通信手段を介して当該入力側データベース手段のデジタル固有情報と前記データベース手段のデジタル固有情報とを比較して、当該データベース手段のデジタル固有情報のうち当該入力側データベース手段のデジタル固有情報と一致するデジタル固有情報のみを当該データベース手段に保管することを特徴とする請求項４から請求項６のいずれかに記載のデータ処理システム。
【請求項１０】
前記データ処理システムは、前記受付端末の近傍に表示手段を備え、当該表示手段に前記入力側データベース手段に格納されている前記デジタル固有情報を表示することを特徴とする請求項９記載のデータ処理システム。
【請求項１１】
前記データ処理システムは、前記受付端末が入出に許可の必要な管理対象室の開閉扉の設けられた入口付近に設置され、前記個体が前記個体識別媒体の前記固有情報を当該読取手段に読み取らせ、前記データベース手段が、当該読取手段が読み取って前記入力手段の変換したデジタル固有情報を受け取ると、前記受付端末へ音声信号と操作信号を重畳させた重畳信号を送信し、当該受付端末が、当該重畳信号の音声信号に基づいてガイダンス情報を報知出力し、また、前記重畳信号の操作信号に基づいて前記開閉扉の施錠及び施錠の解除を行うことを特徴とする請求項１から請求項１０のいずれかに記載のデータ処理システム。
【発明の詳細な説明】
【技術分野】
【０００１】
本発明は、データ処理システムに関し、詳細には、入・退場者の管理を作業性を向上させつつ適切に行うデータ処理システムに関する。
【背景技術】
【０００２】
近時、セキュリティ管理が重要となってきており、個人の住宅、企業等への入室管理等において、適切なセキュリティが要望されている。
【０００３】
そして、従来、ＩＤコードやＩＤカードを用いて入室者の管理を行って電気錠の開閉制御を行う入退室管理装置が提案されている（特許文献１参照）。
【０００４】
また、従来、ＩＤカード、暗誦コード、ロック、フリーパス及び防犯センサから成る５種類のアクセス管理レベルを用い、各アクセス管理レベルによる管理を時間帯によって異ならせて利用性を向上させつつセキュリティの管理を行うセキュリティシステム用アクセス管理方法が提案されている（特許文献２参照）。
【０００５】
【特許文献１】特公平６−３２１０９号公報
【特許文献２】特公平７−３１３０号公報
【発明の開示】
【発明が解決しようとする課題】
【０００６】
しかしながら、上記従来技術にあっては、不審者等の入室を拒否するのが主目的であり、室内だけでなく、屋内及び屋外の会場（イベント会場や催し物会場等）等への入場者や退場者を管理集計することは行っておらず、このようなイベント会場や催し物会場等の会場等への入・退場者の管理・集計を適切に行う技術が要望されている。
【０００７】
すなわち、近年、イベントや催し物が大規模に行われるようになってきているが、従来、このようなイベント会場や催し物会場への入場者や退場者の管理は、受付机に用意されている用紙に入場者や退場者に記入を行ってもらうことで処理しているが、このような用紙への記入では、入・退場者が受付で滞留するだけでなく、入場者数や退場者数を即座に集計することができず、また、イベントや催し物の管理を行うために、入場者の集計を行う場合にも用紙に記入された入場者の氏名等を集計用紙やコンピュータ等に転記あるいは入力する必要があり、集計作業の作業性が悪いという問題があった。
【０００８】
また、近年、コンピュータや事務機を利用する部屋や会場のセキュリティの管理の重要性が向上し、また、ＩＤカードを通すだけで手続きして個人の行動を簡単に把握する技術に対する要望が増えてきているとともに、社会的インフラとして、国、地方自治体でＩＣカードを発行して個人認識を行い、また、個人データの蓄積が進められている。
【０００９】
そこで、本発明は、セキュリティ管理を適切に行いつつ、入・退場者の管理・集計等を簡単かつ効率的に行うデータ処理システムを提供することを目的としている。
【００１０】
具体的には、請求項１記載の発明は、受付端末、データベース手段及び通信手段を備え、受付端末が、読取手段と入力手段と入力側データベース手段とを有し、読取手段で、個体を識別するための固有情報を記憶する個体識別媒体から当該固有情報を読み取り、当該読取手段の読み取った固有情報を、入力手段でデジタル処理可能なデジタル固有情報に変換して取り込み、入力側データベース手段で、当該入力手段の取り込んだデジタル固有情報をデータベースとして保管し、データベース手段が、予めデジタル固有情報を登録しており、さらに、受付端末が、前記変換したデジタル固有情報に、読み取った年月日時刻と、読取手段または当該入力手段を特定する入力側識別データを付加して入力側データベース手段に保管し、データベース手段が、受付端末と通信手段を介して接続されると、入力側データベース手段から通信手段を介して送信されたデジタル固有情報と予め登録されているデジタル固有情報を比較し、そして、予め登録されているデジタル固有情報と一致したデジタル固有情報のみをデータベース手段に保管することにより、個体である入・退場者が集計用紙に記入したり、当該記入された集計用紙からコンピュータ等に入力する手間を省き、集計作業を向上させつつ、入・退場者を効率的に管理して、安価かつ効率的にセキュリティ管理及び集計処理を向上させることのできるデータ処理システムを提供することを目的としている。
【００１１】
請求項２記載の発明は、入力側識別データを対比表により前記受付端末が設置された会場名に変換している。
請求項３記載の発明は、受付端末がデータベース手段とは離れた遠隔地に設置されて、通信手段で接続されることにより、大きなシステムを入・退場を管理する会場等に搬送することなく、可搬性の良好な読取手段と入力手段のみを搬送し、より一層利用性を向上させるとともに、集計作業を向上させつつ、入・退場者を効率的に管理して、安価かつ効率的にセキュリティ管理及び集計処理を向上させることのできるデータ処理システムを提供することを目的としている。
【００１３】
請求項４記載の発明は、受付端末とデータベース手段が通信手段で接続されているときに、データベース手段が、入力側データベース手段のデジタル固有情報とデータベース手段のデジタル固有情報を所定時間間隔で比較して、当該データベース手段のデジタル固有情報を当該入力側データベース手段のデジタル固有情報と同じにすることにより、正しいデータベースを構築し、より一層適切なセキュリティを確保することのできるデータ処理システムを提供することを目的としている。
【００１４】
請求項５記載の発明は、受付端末とデータベース手段が通信手段で接続されているときに、データベース手段が、データベース手段に所定の変更が加えられたことを検出すると、受付端末に前記デジタル固有情報を要求して、当該入力側データベース手段のデジタル固有情報に変更が行われている場合には、当該データベース手段のデジタル固有情報を当該入力側データベース手段のデジタル固有情報と同じにすることにより、通信のトラフィックへの負荷を削減しつつ、正しいデータベースを構築し、より一層適切なセキュリティを確保することのできるデータ処理システムを提供することを目的としている。
【００１５】
請求項６記載の発明は、受付端末とデータベース手段との接続を無効にした状態で、読取手段に読取動作を実行させて、当該読取手段が読み取って入力手段の取り込んだデジタル固有情報を入力側データベース手段に格納し、入力側データベース手段とデータベース手段の通信が可能となった時点で、入力側データベース手段のデジタル固有情報とデータベース手段のデジタル固有情報を比較して、当該データベース手段のデジタル固有情報を当該入力側データベース手段のデジタル固有情報と同じにすることにより、利用性をより一層向上させつつ、正しいデータベースを構築し、安価かつ効率的により一層適切なセキュリティを確保することのできるデータ処理システムを提供することを目的としている。
【００１６】
請求項７記載の発明は、複数の受付端末を備え、当該受付端末の各入力側データベース手段が、当該各入力側データベース手段の格納しているデジタル固有情報を所定時間間隔で相互に比較して、格納するデジタル固有情報を同じにするとともに、当該各入力側データベース手段のデジタル固有情報とデータベース手段のデジタル固有情報を所定時間間隔で比較して、当該データベース手段のデジタル固有情報を当該入力側データベース手段のデジタル固有情報と同じにすることにより、利用性をより一層向上させつつ、正しいデータベースを構築し、安価かつ効率的により一層適切なセキュリティを確保することのできるデータ処理システムを提供することを目的としている。
【００１７】
請求項８記載の発明は、読取手段と入力手段をシリアル接続し、受付端末とデータベース手段をイーサネット（登録商標）を介して接続することにより、安価にかつ効率的にデータ処理システムを構築し、安価かつ効率的にセキュリティを向上させることのできるデータ処理システムを提供することを目的としている。
【００１８】
請求項９記載の発明は、複数の受付端末が同じネットワークに接続され、通信手段を介して当該入力側データベース手段のデジタル固有情報とデータベース手段のデジタル固有情報とを比較して、当該データベース手段のデジタル固有情報のうち当該入力側データベース手段のデジタル固有情報と一致するデジタル固有情報のみを当該データベース手段に保管することにより、より一層安価にかつ効率的にデータ処理システムを構築し、安価かつ効率的にセキュリティを向上させることのできるデータ処理システムを提供することを目的としている。
【００１９】
請求項１０記載の発明は、受付端末の近傍に表示手段を設け、当該表示手段に、入力側データベース手段に格納されているデジタル固有情報を通信手段を介して取得して表示することにより、遠隔のデータベース手段の設置場所でも入・退場者の入・退場状況を把握できるようにし、より一層利用性の良好なデータ処理システムを提供することを目的としている。
【００２１】
請求項１１記載の発明は、受付端末を、入出に許可の必要な管理対象室の開閉扉の設けられた入口付近に設置し、個体が個体識別媒体の固有情報を当該読取手段に読み取らせ、データベース手段が、当該読取手段が読み取って入力手段の変換したデジタル固有情報を受け取ると、当該受付端末へ音声信号と操作信号を重畳させた重畳信号を送信し、当該受付端末が、当該重畳信号の音声信号に基づいてガイダンス情報を報知出力し、また、重畳信号の操作信号に基づいて開閉扉の施錠及び施錠の解除を行うことにより、管理対象室の開閉扉の施錠と施錠の開閉を適切かつ確実に行い、セキュリティをより一層適切に向上させることのできるデータ処理システムを提供することを目的としている。
【課題を解決するための手段】
【００２２】
請求項１記載の発明のデータ処理システムは、個体を識別するための固有情報を記憶する個体識別媒体から当該固有情報を読み取る読取手段、該読取手段の読み取った当該固有情報をデジタル処理可能なデジタル固有情報に変換して取り込む入力手段、及び、該入力手段の取り込んだ該デジタル固有情報をデータベースとして保管する入力側データベース手段、を有する受付端末と、予めデジタル固有情報がデータベースとして登録されているデータベース手段と、前記受付端末と前記データベース手段を接続する通信手段と、を備えたデータ処理システムであって、（イ）前記受付端末が、前記変換したデジタル固有情報に、読み取った年月日時刻と、前記読取手段または当該入力手段を特定する入力側識別データと、を付加して前記入力側データベース手段に保管し、（ロ）前記データベース手段が、前記受付端末と前記通信手段で接続されたときに、前記入力側データベース手段から前記通信手段を介して送信された前記デジタル固有情報と前記予め登録されているデジタル固有情報を比較し、そして、（ハ）前記データベース手段が、前記予め登録されているデジタル固有情報と一致した前記デジタル固有情報のみを保管することにより、上記目的を達成している。
【００２３】
この場合、例えば、請求項２に記載するように、前記データ処理システムは、前記入力側識別データを対比表により前記受付端末が設置された会場名に変換するものであってもよい。また、例えば、請求項３に記載するように、前記データ処理システムは、前記受付端末が前記データベース手段とは離れた遠隔地に設置されて、前記通信手段で接続されているものであってもよい。
【００２５】
さらに、例えば、請求項４に記載するように、前記データ処理システムは、前記受付端末と前記データベース手段が前記通信手段で接続されているときに、前記データベース手段が前記入力側データベース手段のデジタル固有情報と前記データベース手段のデジタル固有情報を所定時間間隔で比較またはイベントトリガ等で変更を検出して、当該データベース手段のデジタル固有情報を当該入力側データベース手段のデジタル固有情報と同じにするものであってもよい。
【００２６】
また、例えば、請求項５に記載するように、前記データ処理システムは、前記受付端末と前記データベース手段が前記通信手段で接続されているときに、前記データベース手段が、前記データベース手段に所定の変更が加えられたことを検出すると、前記受付端末に前記デジタル固有情報を要求して、前記入力側データベース手段のデジタル固有情報に変更が行われている場合には、当該データベース手段のデジタル固有情報を当該入力側データベース手段のデジタル固有情報と同じにするものであってもよい。
【００２７】
さらに、例えば、請求項６に記載するように、前記データ処理システムは、前記受付端末と前記データベース手段との接続を無効にした状態で、前記読取手段に読取動作を実行させて、当該読取手段が読み取って前記入力手段の取り込んだデジタル固有情報を当該入力側データベース手段に格納し、前記入力側データベース手段と前記データベース手段の通信が可能となった時点で、当該入力側データベース手段のデジタル固有情報と前記データベース手段のデジタル固有情報を比較して、当該データベース手段のデジタル固有情報を当該入力側データベース手段のデジタル固有情報と同じにするものであってもよい。
【００２８】
また、例えば、請求項７に記載するように、前記データ処理システムは、複数の前記受付端末を備え、当該受付端末の各入力側データベース手段が、当該各入力側データベース手段の格納しているデジタル固有情報を所定時間間隔で相互に比較して、格納するデジタル固有情報を同じにするとともに、当該各入力側データベース手段のデジタル固有情報と前記データベース手段のデジタル固有情報を所定時間間隔で比較して、当該データベース手段のデジタル固有情報を当該入力側データベース手段のデジタル固有情報と同じにするものであってもよい。
【００２９】
さらに、例えば、請求項８に記載するように、前記データ処理システムは、前記読取手段と前記入力手段がシリアル接続され、前記受付端末と前記データベース手段がイーサネットを介して接続されているものであってもよい。
【００３０】
また、例えば、請求項９に記載するように、前記データ処理システムは、複数の前記受付端末が同じネットワークに接続され、前記通信手段を介して当該入力側データベース手段のデジタル固有情報と前記データベース手段のデジタル固有情報とを比較して、当該データベース手段のデジタル固有情報のうち当該入力側データベース手段のデジタル固有情報と一致するデジタル固有情報のみを当該データベース手段に保管するものであってもよい。
【００３１】
さらに、例えば、請求項１０に記載するように、前記データ処理システムは、前記受付端末の近傍に表示手段を備え、当該表示手段に前記入力側データベース手段に格納されている前記デジタル固有情報を表示するものであってもよい。
【００３３】
また、例えば、請求項１１に記載するように、前記データ処理システムは、前記受付端末が入出に許可の必要な管理対象室の開閉扉の設けられた入口付近に設置され、前記個体が前記個体識別媒体の前記固有情報を当該読取手段に読み取らせ、前記データベース手段が、当該読取手段が読み取って前記入力手段の変換したデジタル固有情報を受け取ると、前記受付端末へ音声信号と操作信号を重畳させた重畳信号を送信し、当該受付端末が、当該重畳信号の音声信号に基づいてガイダンス情報を報知出力し、また、前記重畳信号の操作信号に基づいて前記開閉扉の施錠及び施錠の解除を行うものであってもよい。
【発明の効果】
【００３４】
請求項１記載の発明のデータ処理システムによれば、受付端末、データベース手段及び通信手段を備え、受付端末が、読取手段と入力手段と入力側データベース手段とを有し、読取手段で、個体を識別するための固有情報を記憶する個体識別媒体から当該固有情報を読み取り、当該読取手段の読み取った固有情報を、入力手段でデジタル処理可能なデジタル固有情報に変換して取り込み、入力側データベース手段で、当該入力手段の取り込んだデジタル固有情報をデータベースとして保管し、データベース手段が、予めデジタル固有情報を登録しており、さらに、受付端末が、前記変換したデジタル固有情報に、読み取った年月日時刻と、読取手段または当該入力手段を特定する入力側識別データを付加して入力側データベース手段に保管し、データベース手段が、受付端末と通信手段を介して接続されると、入力側データベース手段から通信手段を介して送信されたデジタル固有情報と予め登録されているデジタル固有情報を比較し、そして、予め登録されているデジタル固有情報と一致したデジタル固有情報のみをデータベース手段に保管することにより、個体である入・退場者が集計用紙に記入したり、当該記入された集計用紙からコンピュータ等に入力する手間を省き、集計作業を向上させつつ、入・退場者を効率的に管理して、安価かつ効率的にセキュリティ管理及び集計処理を向上させることができるまた、通信手段を介してのデジタル固有情報の送信時のデータロスを修復して、正しいデータベースを構築することができ、安価かつ効率的により一層適切なセキュリティを確保することができる。また、デジタル固有情報の管理及び個体の動向の管理をより一層詳細に行うことができ、セキュリティをより一層適切に向上させることができる。
【００３５】
請求項２記載の発明のデータ処理システムによれば、入力側識別データを対比表により前記受付端末が設置された会場名に変換しているので、会場名を表示することができる。
請求項３記載の発明のデータ処理システムによれば、受付端末がデータベース手段とは離れた遠隔地に設置されて、通信手段で接続されるので、大きなシステムを入・退場を管理する会場等に搬送することなく、可搬性の良好な読取手段と入力手段のみを搬送し、より一層利用性を向上させるとともに、集計作業を向上させつつ、入・退場者を効率的に管理して、安価かつ効率的にセキュリティ管理及び集計処理を向上させることができる。
【００３７】
請求項４記載の発明のデータ処理システムによれば、受付端末とデータベース手段が通信手段で接続されているときに、データベース手段が、入力側データベース手段のデジタル固有情報とデータベース手段のデジタル固有情報を所定時間間隔で比較またはイベントトリガ等で変更を検出して、当該データベース手段のデジタル固有情報を当該入力側データベース手段のデジタル固有情報と同じにするので、正しいデータベースを構築することができ、より一層適切なセキュリティを確保することができる。
【００３８】
請求項５記載の発明のデータ処理システムによれば、受付端末とデータベース手段が通信手段で接続されているときに、データベース手段が、データベース手段に所定の変更が加えられたことを検出すると、受付端末に前記デジタル固有情報を要求して、当該入力側データベース手段のデジタル固有情報に変更が行われている場合には、当該データベース手段のデジタル固有情報を当該入力側データベース手段のデジタル固有情報と同じにするので、通信のトラフィックへの負荷を削減しつつ、正しいデータベースを構築し、より一層適切なセキュリティを確保することができる。
【００３９】
請求項６記載の発明のデータ処理システムによれば、受付端末とデータベース手段との接続を無効にした状態で、読取手段に読取動作を実行させて、当該読取手段が読み取って入力手段の取り込んだデジタル固有情報を入力側データベース手段に格納し、入力側データベース手段とデータベース手段の通信が可能となった時点で、入力側データベース手段のデジタル固有情報とデータベース手段のデジタル固有情報を比較して、当該データベース手段のデジタル固有情報を当該入力側データベース手段のデジタル固有情報と同じにするので、利用性をより一層向上させつつ、正しいデータベースを構築し、安価かつ効率的により一層適切なセキュリティを確保することができる。
【００４０】
請求項７記載の発明のデータ処理システムによれば、複数の受付端末を備え、当該受付端末の各入力側データベース手段が、当該各入力側データベース手段の格納しているデジタル固有情報を所定時間間隔で相互に比較して、格納するデジタル固有情報を同じにするとともに、当該各入力側データベース手段のデジタル固有情報とデータベース手段のデジタル固有情報を所定時間間隔で比較して、当該データベース手段のデジタル固有情報を当該入力側データベース手段のデジタル固有情報と同じにするので、利用性をより一層向上させつつ、正しいデータベースを構築し、安価かつ効率的により一層適切なセキュリティを確保することができる。
【００４１】
請求項８記載の発明のデータ処理システムによれば、読取手段と入力手段をシリアル接続し、受付端末とデータベース手段をイーサネット（登録商標）を介して接続するので、安価にかつ効率的にデータ処理システムを構築し、安価かつ効率的にセキュリティを向上させることができる。
【００４２】
請求項９記載の発明のデータ処理システムによれば、複数の受付端末が同じネットワークに接続され、通信手段を介して当該入力側データベース手段のデジタル固有情報とデータベース手段のデジタル固有情報とを比較して、当該データベース手段のデジタル固有情報のうち当該入力側データベース手段のデジタル固有情報と一致するデジタル固有情報のみを当該データベース手段に保管するので、より一層安価にかつ効率的にデータ処理システムを構築し、安価かつ効率的にセキュリティを向上させることができる。
【００４３】
請求項１０記載の発明のデータ処理システムによれば、受付端末の近傍に表示手段を設け、当該表示手段に、入力手段側の入力側データベース手段に格納されているデジタル固有情報を通信手段を介して取得して表示するので、遠隔のデータベース手段の設置場所でも入・退場者の入・退場状況を把握できるようにすることができ、より一層利用性を向上させることができる。
【００４５】
請求項１１記載の発明のデータ処理システムによれば、受付端末を、入出に許可の必要な管理対象室の開閉扉の設けられた入口付近に設置し、個体が個体識別媒体の固有情報を当該読取手段に読み取らせ、データベース手段が、当該読取手段が読み取って入力手段の変換したデジタル固有情報を受け取ると、当該受付端末へ音声信号と操作信号を重畳させた重畳信号を送信し、当該受付端末が、当該重畳信号の音声信号に基づいてガイダンス情報を報知出力し、また、重畳信号の操作信号に基づいて開閉扉の施錠及び施錠の解除を行うので、管理対象室の開閉扉の施錠と施錠の開閉を適切かつ確実に行うことができ、セキュリティをより一層適切に向上させることができる。
【発明を実施するための最良の形態】
【００４６】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００４７】
図１〜図８は、本発明のデータ処理システムの一実施例を示す図であり、図１は、本発明のデータ処理システムの一実施例を適用したデータ処理システム１のシステム構成図である。
【００４８】
図１において、データ処理システム１は、データ管理部門１０、イベント会場２０及びイベント事務局３０がＬＡＮ（Local Area Network）／ＷＡＮ（Wide Area Network ）等のネットワーク（通信手段）２で接続されている。このネットワーク２としては、例えば、パケットでデータを送受信するイーサネットであってもよい。
【００４９】
データ管理部門１０は、データ格納サーバ１１、プログラム格納サーバ１２、検索サーバ１３及び管理者用端末１４等を備えており、各サーバ１１〜１３と管理者用端末１４がネットワーク接続されている。
【００５０】
データ格納サーバ（データベース手段）１１には、管理対象である被管理者に関するデジタルデータ、すなわち、デジタル個人情報が格納され、このデジタル個人情報のデータ定義の形式は、例えば、ＳＱＬ（Structured Query Language）文による定義等である。このデジタル個人情報としては、例えば、被管理者の氏名（漢字、ふりがな）、会社名、所属部署名、電話番号、事業所名、メールアドレス、カード番号等である。
【００５１】
プログラム格納サーバ１２は、少なくとも本実施例のデータ処理を実行処理するデータ処理プログラム及び当該データ処理プログラムを実行するのに必要なシステムデータが登録されており、データ処理システム１は、このプログラム格納サーバ１２の格納するデータ処理プログラムに基づいてデータ処理を実行する。
【００５２】
検索サーバ１３は、管理者用端末１４、イベント事務局２０の端末及びイベント会場３０の端末からの検索要求に応じて、データ格納サーバ１１に格納されているデジタル個人情報を各種検索条件に基づいて検索して、検索結果を当該検索要求を行ってきた端末に返す。
【００５３】
管理者用端末１４は、パーソナルコンピュータ（例えば、ラップトップコンピュータ）等が用いられており、データ処理システム１の管理者がデータ処理システム１の管理に必要な各種操作を行う。上記データ格納サーバ１１、プログラム格納サーバ１２、検索サーバ１３及び管理者用端末１４の各ディスプレイは、データベース手段であるデータ格納サーバ１１の近傍に設けられた表示手段として機能する。
【００５４】
データ管理部門１０からは遠隔の地にあるイベント会場２０には、無線親局２１、複数の受付端末２２ａ〜２２ｎ及び検索端末２３等が設置されており、各受付端末２２ａ〜２２ｎ及び検索端末２３は、受付端末２２ａについて図２に示すように、無線親局２１と無線通信する無線ＬＡＮアクセス用カード２４が装着されているとともに、磁気カードリーダ２５がそれぞれ接続されている。
【００５５】
無線親局２１は、ネットワーク２に接続されており、各受付端末２２ａ〜２２ｎは、装着されている無線ＬＡＮアクセス用カード２４とイベント会場３０に設置されている無線親局２１との間で無線でデータの授受、特に、取得したデータの送信を行う。また、各受付端末２２ａ〜２２ｎは、無線親局２１を介して相互に通信することができる。
【００５６】
磁気カードリーダ（読取手段）２５は、例えば、ＲＳ２３２Ｃ等のシリアルインタフェースを介して受付端末２２ａ〜２２ｎとシリアル接続され、イベント会場３０に入場する各入場者が、自己の所持している個体識別媒体であるＩＤカード４０（図３参照）としての磁気カード４１（図３参照）を入力操作することで、当該磁気カード４１に記録されている個人情報を読み取って受付端末２２ａ〜２２ｎに出力する。
【００５７】
すなわち、受付端末（入力手段）２２ａ〜２２ｎは、イベント会場３０の入場者を受け付ける受付机上等に設置されており、入場者や退場者が磁気カードリーダ２５に当該入場者や退場者の所持している磁気カード４１を読み取らせる読取操作を行う。
【００５８】
この磁気カード４１は、イベント会場３０に入場する個体としての入場者や退場者が所持するＩＤカード４０であり、少なくとも当該入・退場者を特定する当該入・退場者の個人情報、例えば、入・退場者の氏名（漢字、ふりがな）、会社名、所属部署名、電話番号、事業所名、メールアドレス、カード番号等の情報が登録されており、磁気カードリーダ２５により読み取られることで、受付端末２２ａ〜２２ｎに入力されて、無線ＬＡＮアクセス用カード２４と無線親局２１及びネットワーク２を介してデータ管理部門１０のデータ格納サーバ１１に送られてデータ格納サーバ１１に格納される。
【００５９】
なお、入・退場者の所持するＩＤカード４０としては、上記磁気カード４１に限るものではなく、例えば、図３に示すように、ＩＣカード４２、非接触ＩＤカード４３、ＩＣチップ埋め込みトレイ４４等であってもよく、これらのＩＤカード４０の種類に応じて、受付端末２２ａ〜２２ｎには、ＩＤカードリーダとして、磁気カードリーダ２５だけでなく、当該ＩＤカード４０を読み取るリーダ、例えば、ＩＣカードリーダ、非接触ＩＤカードリーダ等が接続される。
【００６０】
そして、上記受付端末２２ａ〜２２ｎは、磁気カード４１の読み取った個人情報をデジタル変換してデジタル個人情報としてネットワーク２を介してデータ管理部門１０のデータ格納サーバ１１に送信する。
【００６１】
検索端末２３は、例えば、ラップトップコンピュータ等のパーソナルコンピュータが用いられ、無線ＬＡＮアクセス用カード２４が装着されて、当該無線ＬＡＮアクセス用カード２４と無線親局２１及びネットワーク２を介してデータ格納サーバ１１とアクセスして入・退場者の状況を検索して、表示部に表示する。
【００６２】
事務局３０には、状況モニタ端末３１が設置されており、状況モニタ端末３１としては、例えば、ラップトップコンピュータ等のパーソナルコンピュータが用いられている。状況モニタ端末３１は、ネットワーク２に接続されており、当該ネットワーク２を介してデータ管理部門１０のデータ格納サーバ１１にアクセスして、入・退場者の状況を検索して、表示部に表示する。
【００６３】
次に、本実施例の作用を説明する。本実施例のデータ処理システム１は、各種イベントや催し物の会場に、簡単な無線ＬＡＮに接続された受付システムとして、イベント会場２０に無線ＬＡＮアクセス用カード２４と磁気カードリーダ２５を備えた受付端末２２ａ〜２２ｎを設置し、当該イベント会場２０の無線親局２１をデータ処理システム１のネットワーク２に接続する。
【００６４】
データ処理システム１は、イベント会場２０とネットワーク２で接続されたデータ管理部門１０のデータ格納サーバ１１に、当該イベント会場２０の入・退場者を管理するのに必要なデータベースが格納されている。
【００６５】
そして、イベント会場２０には、無線親局２１と無線通信する無線ＬＡＮアクセス用カード２４の装着されている受付端末２２ａ〜２２ｎが設置され、この受付端末２２ａ〜２２ｎには、ＩＤカードリーダとして、例えば、磁気カードリーダ２５が接続されている。
【００６６】
このイベント会場２０に入場する入場者や退場する退場者は、入場時及び退場時に、イベント会場２０に設置されている磁気カードリーダ２５に自己の所持するＩＤカードとしての磁気カード４１を読み取らせる。
【００６７】
磁気カードリーダ２５は、読み取った入場者の磁気カード４１の個人情報を正確に読み取ると、読み取ったことを通知するための読取完了通知、例えば、読取完了を通知する通知音を発生させ、また、図４に示すように、受付端末２２ａ〜２２ｎの表示画面２５には、入場者氏名欄２５ａ、日付欄２５ｂ、入力待ち表示欄２５ｃ等が表示されて、当該入力待ち表示欄２５ｃには、磁気カード４１の読取中には、※マーク等の所定のマークを表示して、磁気カード４１の読取が完了すると、磁気カード４１から読み取った入場者の氏名を入場者氏名欄２５ａに表示する。
【００６８】
受付端末２２ａ〜２２ｎは、入・退場者の磁気カード４１を読み取ると、上述のように、当該受付端末２２ａ〜２２の表示部２５に読取結果を表示するだけでなく、読み取った当該入・退場者の個人情報を無線ＬＡＮアクセス用カード２４と無線親局２１及びネットワーク２を介してデータ管理部門１０のデータ格納サーバ１１に送信し、データ格納サーバ１１が各受付端末２２ａ〜２２ｎから送信されてきたデジタル個人情報と予めデータ格納サーバ１１に格納されているデジタル個人情報を所定の法則に従って比較して当該デジタル個人情報を整理してデータ格納サーバ１１に登録する管理処理を行う。
【００６９】
このデジタル個人情報を所定の法則に従って比較して整理するデータ処理について、以下、図５及び図６に基づいて、具体的に説明する。受付端末２２ａ〜２２ｎは、まず、図５（Ａ）に示すようなデジタル個人情報の場合、以下の（ａ）〜（ｃ）の順序でデータ処理を行うという法則に基づいてデジタル個人情報のデータ処理を行う。
【００７０】
（ａ）不要な情報の除去
（ｂ）社員ＩＤ番号でマスターデータベースであるデータ格納サーバ１１に問い合わせ        を行う
（ｃ）同一ＩＤ番号が複数あった場合は、最新の日付のものを採用する
すなわち、図５（Ａ）に示すように、「１０００１」の番号の磁気カードリーダ２５で読み取った個人情報が、例えば、人事管理情報として、「１  ０００２３」を、会社名として、「ＴＯＫＫＹＯ」を、社員ＩＤ番号として、「Ｂ１２３４５６」を、性別として、性別を示す記号「１」を、漢字表記の氏名として、「特許太郎」を、それぞれ読み取り、これらの個人情報のうち人事管理情報と性別が不要情報であり、会社名が正規データであることを認識するための情報、漢字氏名が参考データとして取り込むデータとして必要なデータであるとすると、図５（Ｂ）に示すように、社員ＩＤ番号（「Ｂ１２３４５６」）でデータ格納サーバ１１に問い合わせを行う。
【００７１】
いま、図５（Ｂ）に示すように、同じ社員ＩＤ番号に対して、複数（図５では、３つ）の個人情報が登録されているとすると、図５（Ｃ）に示すように、最新の日付の個人情報を採用し、最終的に、不要な情報を削除した最新の日付の個人情報を採用する。
【００７２】
次に、個人情報の整理について、図６に基づいて説明する。この個人情報の整理は、以下の（ｄ）〜（ｈ）の順序でデータ処理することで行う。
【００７３】
（ｄ）個人情報を読み取った年月日時刻を取得して、データに付加する
（ｅ）磁気カードリーダ２５の番号をデータに付加する
（ｆ）読み込みデータと合成してデータベースに登録する
（ｇ）会場のオペレータ用表示画面データを合成する
（イ）磁気カードリーダ２５と会場名の対比表から求めて、磁気カードリーダ２５            の番号を会場名に変換する
（ロ）時刻を年月日時刻標記で作成する
（ハ）同一人物が何回も出入りしている場合は、重複データを取り除いて、一人と            してカウントする
（ニ）現在までの総入場者数をカウントして表示する
（ホ）時間別、あいうえお順、部署別等の指定に応じて並べ換えて表示する
（ヘ）後日のデータ処理に備えて、ＥＸＣＥＬ（登録商標）等の表計算ファイルで            処理できるファイルフォーマットで書き出しできるようにする
（ｈ）任意のタイミングで指定のディスプレイに表示する
例えば、図６（１）に示すような個人情報（磁気カードリーダ２５の番号が「１０００１」、漢字氏名が「特許太郎」、かな氏名が「とっきょ  たろう」、会社名が「トッキョ」、所属部署が「工場」、メールアドレスが「ｔａｒｏ＠ｔｏｋｋｙｏ．ｊｐ」、時刻が「２００３／０１／１５  １３：２５」であるデータ）がデータ格納サーバ１１に登録されている場合、この個人情報を上記（ｄ）〜（ｈ）の順序で処理を行って、図６（２）に示すような状態で、データ整理して、データ格納サーバ１１に登録するとともに、ディスプレイ、例えば、時刻順にソートして表示する。
【００７４】
そして、イベント会場２０の検索端末２３で、入・退場者の検索や集計要求が行われると、当該要求を、検索端末２３に装着されている無線ＬＡＮアクセス用カード２４と無線親局２１及びネットワーク２を介してデータ格納サーバ１１とアクセスして入・退場者の状況を検索して、検索結果や集計結果をその表示部に表示する。
【００７５】
また、事務局３０の状況モニタ端末３１で、入・退場者の検索や集計要求が行われると、当該要求を、状況モニタ端末３１の接続されているネットワーク２を介してデータ格納サーバ１１とアクセスして入・退場者の状況を検索して、検索結果や集計結果をその表示部に表示する。
【００７６】
このように、本実施例のデータ処理システム１によれば、磁気カードリーダ２５で、個体である入・退場者を識別するための固有情報である個人情報を記憶する個体識別媒体である磁気カード４１から当該個人情報を読み取り、磁気カードリーダ２５の読み取った個人情報を、入力手段である受付端末２２ａ〜２２ｎでデジタル処理可能なデジタル固人情報に変換して取り込み、データベース手段であるデータ格納サーバ１１が、受付端末２２ａ〜２２ｎの取り込んだデジタル個人情報をデータベースとして登録するに際して、磁気カードリーダ２５が読み取って受付端末２２ａ〜２２ｎの変換したデジタル個人情報とデータ格納サーバ１１に予め登録されているデジタル個人情報とを所定の法則に従って比較して当該デジタル個人情報を整理してデータ格納サーバ１１に登録する管理処理を行い、当該整理したデジタル個人情報を所定のディスプレイ等に出力している。
【００７７】
したがって、入・退場者が集計用紙に記入したり、当該記入された集計用紙からコンピュータ等に入力する手間を省くことができ、集計作業を向上させることができるとともに、入・退場者を効率的に管理して、安価かつ効率的にセキュリティ管理を向上させることができる。
【００７８】
また、本実施例のデータ処理システム１によれば、データ格納サーバ１１を、磁気カードリーダ２５及び受付端末２２ａ〜２２ｎとは離れた遠隔地のデータ管理部門１０に設置し、データ格納サーバ１１と受付端末２２ａ〜２２ｎとをネットワーク２で接続している。
【００７９】
したがって、大きなシステムを入・退場を管理する会場等に搬送することなく、可搬性の良好な磁気カードリーダ２５と受付端末２２ａ〜２２ｎのみを搬送することができ、より一層利用性を向上させることができるとともに、集計作業を向上させつつ、入・退場者を効率的に管理して、安価かつ効率的にセキュリティ管理を向上させることができる。
【００８０】
さらに、本実施例のデータ処理システム１は、磁気カードリーダ２５と受付端末２２ａ〜２２ｎをシリアル接続し、受付端末２２ａ〜２２ｎとデータ格納サーバ１１をイーサネットを介して接続している。
【００８１】
したがって、安価にかつ効率的にデータ処理システム１を構築することができ、安価かつ効率的にセキュリティを向上させることができる。
【００８２】
なお、上記説明では、データ格納サーバ１１が、ネットワーク２に接続されイベント会場２０とは離れた遠隔地のデータ管理部門１０に設置されている場合について説明したが、データ格納サーバ１１をラップトップコンピュータ等の可搬性のコンピュータに構築して、イベント会場２０に設置してもよい。
【００８３】
また、上記説明では、受付端末２２ａ〜２２ｎで入力処理した入・退場者の個人情報を即時にデータ格納サーバ１１に転送して、データ格納サーバ１１に格納しているが、受付端末２２ａ〜２２ｎで取得した入・退場者の個人情報を即時にはデータ格納サーバ１１に転送して格納せず、受付端末２２ａ〜２２ｎのハードディスクに格納しておいて、後刻、自動的に、または、オペレータの操作で、受付端末２２ａ〜２２ｎの個人情報データとデータ格納サーバ１１の個人情報データを照合して、正確なデータのみをデータ格納サーバ１１に登録するようにすればよい。カード上に書かれたＩＤ番号以外の情報は、不正確な場合もあるからである。
【００８４】
また、この場合、受付端末２２ａ〜２２ｎに読み取った個人情報を保管するとともに、ネットワーク２を介してデータ格納サーバ１１に送信し、後刻、受付端末２２ａ〜２２ｎの個人情報データとデータ格納サーバ１１の個人情報データを照合して、正確なデータのみをデータ格納サーバ１１に登録するようにしてもよい。
【００８５】
このようにすると、遠隔地のイベント会場２０からデータ管理部門１０のデータ格納サーバ１１への伝送中のデータロスを修正して、正しいデータベースを構築することができ、安価かつ効率的により一層適切なセキュリティを確保することができる。
【００８６】
さらに、データ格納サーバ１１の個人情報データベースと同じ個人情報データベースをイベント会場２０の各受付端末２２ａ〜２２ｎと検索端末２３または検索端末２３のみに搭載して、入・退場者の磁気カード４１の読み取りを行う毎に当該イベント会場２０のデータベースに登録するとともに、所定時間毎にイベント会場２０のデータベースとデータ格納サーバ１１のデータベースとを照合して、同期を取りながら入力するようにしてもよい。
【００８７】
すなわち、図７（ａ）に示すように、いま、イベント会場２０の受付端末２２ａ〜２２ｎが１０ＭｂｐｓのＬＡＮ環境下にあり、データ管理部門１０のデータ格納サーバ１１が１ＧｂｐｓのＬＡＮ環境下にあって、イベント会場２０のＬＡＮ環境とデータ管理部門１０のＬＡＮ環境とが１００ＭｂｐｓのＷＡＮ環境で接続されている場合、図７（ｂ）に示すように、各受信端末２２ａ〜２２ｎ所定時間間隔、例えば、５分間隔でデータ格納サーバ１１に問い合わせを行う。したがって、データ格納サーバ１１には、全ての受信端末２２ａ〜２２ｎから順次問い合わせが発生することになる。
【００８８】
そして、ＷＡＮ環境には、図７（ｃ）に示すように、一定間隔で、各受信端末２２ａ〜２２ｎからの問い合わせの通信が発生することになる。
【００８９】
このように、高速で大容量のＷＡＮ環境やＬＡＮ環境で動作している場合には、受付端末２２ａ〜２２ｎでデータの更新が頻繁に行われても、適切かつ確実にデータ格納サーバ１１のデータの更新を行うことができ、常に、最新情報を得ることができる。
【００９０】
また、所定時間間隔でデータの更新を行う方法は、仕組みが簡単で、かつ、プログラムの作成（実装）が容易であるというメリットがある。
【００９１】
したがって、上述のように、一定時間間隔でデータの更新を行うと、安価かつ容易に利用性をより一層向上させつつ、正しいデータベースを構築することができ、安価かつ効率的により一層適切なセキュリティを確保することができる。
【００９２】
また、データ管理部門１０のデータ格納サーバ１１の個人情報データベースと同じ個人情報データベースをイベント会場２０の各受付端末２２ａ〜２２ｎと検索端末２３または検索端末２３のみに搭載して、入・退場者の磁気カード４１の読み取りを行う毎に当該イベント会場２０のデータベースに登録するとともに、データ管理部門１０のデータ格納サーバ１１に予め設定された所定の変更が発生すると、受付端末２２ａ〜２２ｎのデータベースのデジタル個人情報とデータ格納サーバ１１のデジタル個人情報を比較して、デジタル格納サーバ１１のデジタル個人情報を受付端末２２ａ〜２２ｎのデータベースのデジタル個人情報と同じにしてもよい。
【００９３】
すなわち、図８（ａ）に示すように、いま、イベント会場２０の受付端末２２ａ〜２２ｎが１０ＭｂｐｓのＬＡＮ環境下にあり、データ管理部門１０のデータ格納サーバ１１が１ＧｂｐｓのＬＡＮ環境下にあって、イベント会場２０のＬＡＮ環境とデータ管理部門１０のＬＡＮ環境とが１．５Ｍｂｐｓの専用線環境で接続されている場合、例えば、データ格納サーバ１１に、所定の変更として、１日１回行われる管理者用端末１４からのデータ更新が発生すると、データ格納サーバ１１は、図８（ｃ）に示すように、データ格納サーバ１１がデータ更新というイベントトリガを検出して、図８（ｂ）に示すように、全ての受付端末２２ａ〜２２ｎに対して更新要求を行う。そして、データ格納サーバ１１は、受付端末２２ａ〜２２ｎのデータベースのデジタル個人情報とデータ格納サーバ１１のデジタル個人情報を比較して、デジタル格納サーバ１１のデジタル個人情報と受付端末１１ａ〜２２ｎのデータベースのデジタル個人情報が異なると、データ格納サーバ１１のデジタル個人情報を受付端末２２ａ〜２２ｎのデータベースのデジタル個人情報と同じにする。
【００９４】
このようにすると、必要なときにのみデータの更新が実施されるため、データ格納サーバ１１への問い合わせが少なくなり、動作が単純になる。また、ネットワークに負荷をあまりかけないため、ネットワーク資源の有効利用、自システムの使用量が少なく、他の通信の利用を圧迫することがなく、さらに、通信量が少なく、従量課金の場合に経費を節約することができる。さらに、データ格納サーバ１１側の負荷が軽く、図８の場合のように、図７の場合に比較して、通信環境が低速の場合であっても、動作を安定させることができる。
【００９５】
さらに、イベント会場２０の受付端末２２ａ〜２２ｎのデータベースとデータ格納サーバ１１との接続を無効にした状態で、磁気カードリーダ２５に読取動作を実行させて、磁気カードリーダ２５が読み取って受付端末２２ａ〜２２ｎの取り込んだデジタル個人情報を受付端末２２ａ〜２２ｎのデータベースに格納し、この受付端末２２ａ〜２２ｎのデータベースとデータ格納サーバ１１の通信が可能となった時点で、受付端末２２ａ〜２２ｎのデータベースのデジタル個人情報とデータ格納サーバ１１のデジタル個人情報を比較して、デジタル格納サーバ１１のデジタル個人情報を受付端末２２ａ〜２２ｎのデータベースのデジタル個人情報と同じにしてもよい。
【００９６】
したがって、利用性をより一層向上させつつ、正しいデータベースを構築することができ、安価かつ効率的により一層適切なセキュリティを確保することができる。
【００９７】
また、複数の各受付端末２２ａ〜２２ｎのハードディスク等にデータベースを設け、当該各受付端末２２ａ〜２２ｎのデータベースが、当該各受付端末２２ａ〜２２ｎのデータベースの格納しているデジタル個人情報を所定時間間隔で相互に比較して、格納するデジタル個人情報を同じにするとともに、当該各受付端末２２ａ〜２２ｎのデータベースのデジタル個人情報とデータ格納サーバ１１のデジタル個人情報を所定時間間隔で比較して、データ格納サーバ１１のデジタル個人情報を受付端末２２ａ〜２２ｎのデータベースのデジタル個人情報と同じにしてもよい。
【００９８】
したがって、安価かつ容易に利用性をより一層向上させつつ、正しいデータベースを構築することができ、安価かつ効率的により一層適切なセキュリティを確保することができる。
【００９９】
さらに、複数の受付端末２２ａ〜２２ｎを同じネットワークに接続し、受付端末２２ａ〜２２ｎのデータベースを当該受付端末２２ａ〜２２ｎの接続されているネットワークに接続し、ネットワーク２を介して受付端末２２ａ〜２２ｎのデータベースのデジタル個人情報とデータ格納サーバ１１のデジタル個人情報とを比較して、データ格納サーバ１１のデジタル個人情報のうち受付端末２２ａ〜２２ｎのデータベースのデジタル個人情報と一致するデジタル個人情報のみをデータ格納サーバ１１に保管するようにしてもよい。また、または、データベースに変更が加えられたことを検出してデータベース自身から自動的に発生するデータ同期要求であるイベントトリガ等で変更を検出して、データ格納サーバ１１のデジタル個人情報のうち受付端末２２ａ〜２２ｎのデータベースのデジタル個人情報と一致するデジタル個人情報のみをデータ格納サーバ１１に保管するようにしてもよい。
【０１００】
このようにすると、より一層安価にかつ効率的にデータ処理システム１を構築することができ、安価かつ効率的にセキュリティを向上させることができる。
【０１０１】
また、この場合、データ格納サーバ１１の近傍に表示手段として当該データ格納サーバ１１のディスプレイ、プログラム格納サーバ１２、検索サーバ１３及び管理者用端末１４のディスプレイ等を設け、当該ディスプレイに、受付端末２２ａ〜２２ｎのデータベースに格納されているデジタル個人情報をネットワーク２を介して取得して表示してもよい。
【０１０２】
このようにすると、遠隔のデータ格納サーバ１１の設置場所でも入・退場者の入・退場状況を把握できるようにすることができ、より一層利用性を向上させることができる。
【０１０３】
さらに、受付端末２２ａ〜２２ｎが、磁気カードリーダ２５の読み取った個人情報を変換したデジタル個人情報に当該磁気カードリーダ２５または当該受付端末２２ａ〜２２ｎを特定する入力側識別データを付加してもよい。
【０１０４】
このようにすると、デジタル個人情報の管理及び入・退場者の動向の管理をより一層詳細に行うことができ、セキュリティをより一層適切に向上させることができる。
【０１０５】
また、磁気カードリーダ２５及び受付端末２２ａ〜２２ｎを、入出に許可の必要な管理対象室の開閉扉の設けられた入口付近に設置し、入・退場者が磁気カード４１の個人情報を当該磁気カードリーダ２５に読み取らせ、データ格納サーバ１１が、当該磁気カードリーダ２５が読み取って受付端末２２ａ〜２２ｎの変換したデジタル個人情報を受け取ると、当該受付端末２２ａ〜２２ｎへ音声信号と操作信号を重畳させた重畳信号を送信し、当該受付端末２２ａ〜２２ｎが、当該重畳信号の音声信号に基づいてガイダンス情報を報知出力し、また、重畳信号の操作信号に基づいて開閉扉の施錠及び施錠の解除を行うようにしてもよい。
【０１０６】
このようにすると、管理対象室の開閉扉の施錠と施錠の開閉を適切かつ確実に行うことができ、セキュリティをより一層適切に向上させることができる。
【０１０７】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【０１０８】
管理対象室だけでなく、イベント会場や催し物会場等の会場のセキュリティ管理を適切に行いつつ、入・退場者の管理・集計等を簡単かつ効率的に行うデータ処理システムに適用することができる。
【図面の簡単な説明】
【０１０９】
【図１】本発明のデータ処理システムの一実施例を適用したデータ処理システムのシステム構成図。
【図２】図１の受付端末と磁気カードリーダの正面図。
【図３】図１のデータ処理システムによるデータ処理の説明図。
【図４】図２の受付端末の表示画面の表示例を示す図。
【図５】図１の受付端末による所定の法則による個人情報のデータ処理の説明図。
【図６】図１の受付端末による個人情報の整理の説明図。
【図７】図１のデータ処理システムによる所定時間間隔でのデータ更新処理の説明図。
【図８】図１のデータ処理システムによるデータベース手段側のデータ変更に基づくデータ更新処理の説明図。
【符号の説明】
【０１１０】
１  データ処理システム
２  ネットワーク
１０  データ管理部門
１１  データ格納サーバ
１２  プログラム格納サーバ
１３  検索サーバ
１４  管理者用端末
２０  イベント会場
２１  無線親局
２２ａ〜２２ｎ  受付端末
２３  検索端末
２４  無線ＬＡＮアクセス用カード
２５  磁気カードリーダ
３０  イベント事務局
３１  状況モニタ端末
４０  ＩＤカード
４１  磁気カード４１
４２  ＩＣカード
４３  非接触ＩＤカード
４４  ＩＣチップ埋め込みトレイ
【図１】
0004728651.tif 000002
【図２】
0004728651.tif 000003
【図３】
0004728651.tif 000004
【図４】
0004728651.tif 000005
【図５】
0004728651.tif 000006
【図６】
0004728651.tif 000007
【図７】
0004728651.tif 000008
【図８】
0004728651.tif 000009